(57)【要約】      （修正有）【課題】車両の乗降を行う際に人が濡れてしまうことを抑制することができるポンチョを提供する。【解決手段】ポンチョ１０は、前身頃１１と、後身頃１２と、磁石１６と、を具備する。前身頃１１は、使用者の身体前面を覆うように構成される。後身頃１２は、使用者の身体後面を覆うように構成される。磁石１６は、後身頃１２の下辺である前側下辺１５に沿って配設される。このようにすることで、磁石１６を車両の屋根に接着させることで、使用者と車両との間の空間を、前身頃１１により上方から覆うことができる。よって、使用者と子供が車両に乗降する際に、ポンチョ１０の前身頃１１が傘の如く機能し、子供が雨に濡れてしまうことを抑制できる。【選択図】図１
0003232354.tif 000002
【実用新案登録請求の範囲】
【請求項１】
前身頃と、後身頃と、接着部と、を具備し、
前記前身頃は、使用者の身体前面を覆うように構成され、
前記後身頃は、前記使用者の身体後面を覆うように構成され、
前記接着部は、前記前身頃の下辺である前側下辺に沿って配設されることを特徴とするポンチョ。
【請求項２】
前記接着部は、磁石であることを特徴とする請求項１に記載のポンチョ。
【請求項３】
前記前身頃または前記後身頃の下辺に沿って形状記憶部材が配置されることを特徴とする請求項１または請求項２に記載のポンチョ。
【請求項４】
前記前身頃の一部を、透明部材から成る透明部とすることを特徴とする請求項１から請求項３の何れかに記載のポンチョ。
【考案の詳細な説明】
【技術分野】
【０００１】
本考案は、ポンチョに関し、特に、車両に乗降する際に効果的に利用することができるポンチョに関する。
【背景技術】
【０００２】
ポンチョは、中央に頭を出す穴をあけた外衣であり、レインコートとして着用される。
【０００３】
特許文献１および特許文献２に、ポンチョの一例が記載されている。
【０００４】
特許文献１では、着用および折畳みが容易とされたポンチョタイプの雨合羽が記載されている。具体的には、特許文献１に記載された雨合羽は、頭部から腰部近くまでを覆う広さのシート状部材と、頭部から背中部となる位置まで形成された板バネと、首部となる位置に取り付けた紐部とからなる。このようにすることで、使用前は、円盤形状に折りたたんでおき、使用するときには板バネの復元力により広げることができる。
【０００５】
特許文献２では、雨滴による足下のぬれを防止することができるレインポンチョが記載されている。具体的には、ここでのレインポンチョは、上端に頭を通す開口部を有し裾部分が開放した防水身頃部を備えている。また、防水身頃部は、裾部分に周囲を縁取る屈曲変形可能な環状の形状保持芯材を有している。このようにすることで、裾周りが開いた状態を維持し、足元へのまとわりつきを防止することができる。
【先行技術文献】
【特許文献】
【０００６】
【特許文献１】実用新案登録第３２０４９１６号公報
【特許文献２】実用新案登録第３２０６６８２号公報
【考案の概要】
【考案が解決しようとする課題】
【０００７】
しかしながら、上記した各文献に記載された技術では、雨天の使用時において、使用者が濡れることを防止する観点から、改良の余地があった。
【０００８】
具体的には、使用者はポンチョを着用している際に様々な動作を行い、具体的には、歩行するだけでなく、子供の送り迎え、車両への乗降等を行うことがある。
【０００９】
特に、親がポンチョを着用しながら、子供が登園や登校を行うために車両を乗降する際に、子供が雨に濡れてしまう課題があった。
【００１０】
本考案は、上記の事情に鑑みてなされたものであり、本考案の目的は、車両の乗降を行う際に人が濡れてしまうことを抑制することができるポンチョを提供することにある。
【課題を解決するための手段】
【００１１】
本考案のポンチョは、前身頃と、後身頃と、接着部と、を具備し、前記前身頃は、使用者の身体前面を覆うように構成され、前記後身頃は、前記使用者の身体後面を覆うように構成され、前記接着部は、前記前身頃の下辺である前側下辺に沿って配設されることを特徴とする。
【００１２】
また、本考案のポンチョでは、前記接着部は、磁石であることを特徴とする。
【００１３】
また、本考案のポンチョでは、前記前身頃または前記後身頃の下辺に沿って形状記憶部材が配置されることを特徴とする。
【００１４】
また、本考案のポンチョでは、前記前身頃の一部を、透明部材から成る透明部とすることを特徴とする。
【考案の効果】
【００１５】
本考案のポンチョは、前身頃と、後身頃と、接着部と、を具備し、前記前身頃は、使用者の身体前面を覆うように構成され、前記後身頃は、前記使用者の身体後面を覆うように構成され、前記接着部は、前記前身頃の下辺である前側下辺に沿って配設されることを特徴とする。本考案に係るポンチョによれば、接着部が、後身頃の下辺に沿って配設されることで、例えば、接着部を車両の屋根に接着させることで、使用者と車両との間の空間を、前身頃により上方から覆うことができる。よって、使用者と子供が車両に乗降する際に、前身頃が傘の如く機能し、使用者と子供が雨に濡れてしまうことを抑制できる。
【００１６】
また、本考案のポンチョでは、前記接着部は、磁石であることを特徴とする。本考案に係るポンチョによれば、接着部が磁石であることで、ポンチョの前身頃の端部を、車両の屋根に容易に接着させることが出来る。更に、車両の乗降が終了した際に、ポンチョの前身頃の端部を、車両の屋根から容易に離脱させることができる。
【００１７】
また、本考案のポンチョでは、前記前身頃または前記後身頃の下辺に沿って形状記憶部材が配置されることを特徴とする。本考案に係るポンチョによれば、ポンチョを着用した際に、前身頃または後身頃の下辺の形状を安定化させ、前身頃または後身頃が身体に纏わり付くことを防止し、使用者の不快感を低減することができる。
【００１８】
また、本考案のポンチョでは、前記前身頃の一部を、透明部材から成る透明部とすることを特徴とする。本考案に係るポンチョによれば、使用者は、透明部を介して前身頃の下方の状況を視認することができ、例えば、車両に子供が乗降する状況を確認することができる。
【図面の簡単な説明】
【００１９】
【図１】本考案の実施形態に係るポンチョを示す上面図である。
【図２】本考案の実施形態に係るポンチョを示す図であり、（Ａ）はポンチョが使用されている状態を示す側面図であり、（Ｂ）はポンチョが使用されている状態を示す前面図である。
【図３】本考案の実施形態に係るポンチョが、車両の乗降の際に使用されている状態を示す側面図である。
【図４】本考案の他の形態に係るポンチョを示す上面図である。
【図５】本考案の他の形態に係るポンチョを示す図であり、弁の構成を示す断面図である。
【図６】本考案の他の形態に係るポンチョが、車両の乗降の際に使用されている状態を示す側面図である。
【考案を実施するための形態】
【００２０】
以下に、本考案の実施形態に係るポンチョ１０を図面に基づき詳細に説明する。尚、本実施形態の説明の際には、同一の部材には原則として同一の符番を用い、繰り返しの説明は省略する。
【００２１】
図１は、ポンチョ１０を示す上面図である。
【００２２】
ポンチョ１０は、前身頃１１と、後身頃１２と、磁石１６と、を具備している。ポンチョ１０は、後述する使用者が雨天時等に着用することで、使用者が雨に濡れることを防止する。
【００２３】
前身頃１１は、ポンチョ１０の前方部分を形成し、使用者の身体前面を覆うように構成されている。
【００２４】
後身頃１２は、ポンチョ１０の後方部分を形成し、使用者の身体後面を覆うように構成されている。
【００２５】
前身頃１１および後身頃１２は、防水機能に優れた連続する布地からなり、例えば、ナイロンやポリエステル等を材料としている。
【００２６】
磁石１６は、前身頃１１の下辺である前側下辺１５に沿って配設される接着部である。磁石１６としては、例えば、柔軟性を有する平板状のものを採用することができる。磁石１６は、前側下辺１５を折り返すことで袋状とされた部分に内蔵させることができる。磁石１６を設けることで、後述するように、車両１４への乗降を行う際に、磁石１６を車両１４の屋根に接着させ、使用者と車両１４との間に前身頃１１を張ることができる。かかる事項は図３を参照して後述する。ここで、磁石１６は、前側下辺１５の全域に渡り連続して配置されても良いし、所定の距離を隔てて複数個が配置されても良い。
【００２７】
透明部１８は、前身頃１１の一部を略矩形形状に開口し、この開口にポリプロピレン等から成る透明樹脂を配設した部位である。後述するように、前身頃１１に透明部１８を形成することで、車両１４への乗降を子供が行う際に、使用者は、透明部１８を透過して子供の状態を確認できる。また、外観意匠性を向上するべく、透明部１８に模様を施すこともできる。
【００２８】
形状記憶部材２１は、後身頃１２の後側下辺１９に沿って配置されている。形状記憶部材２１は、使用者がポンチョ１０を着用した際に、使用者の脚部を囲い込むことができるような湾曲形状とされている。形状記憶部材２１は、後身頃１２の後側下辺１９の近傍を袋状に縫製した部位の内部に配置されても良いし、後側下辺１９に沿って貼着されても良い。
【００２９】
ポンチョ１０の中央部には、フード部２０が配置されている。フード部２０は、使用者がポンチョ１０を着用した際に、顔面を露出させた状態で、使用者の頭部を保護する。ここで、フード部２０の内側部分には、図示しない紐が内蔵されている。よって、使用者は、雨天時にポンチョ１０を利用した後に、ポンチョ１０を裏返して紐で丸め、図示しない袋に収納することができる。このようにすることで、使用後のポンチョ１０を車室内に持ち込んだとしても、ポンチョ１０に付着した水が車室内を濡らしてしまうことを防止できる。
【００３０】
前身頃１１の左側辺および右側辺に沿って、ホック１３が配置されている。また、後身頃１２の左側辺および右側辺に沿って、ホック１３が配置されている。着用時には、前身頃１１側のホック１３と、後身頃１２側のホック１３とは、互いに留められる。
【００３１】
図２（Ａ）は、使用者がポンチョ１０を着用している状態を示す側面図である。図２（Ｂ）は、使用者がポンチョ１０を着用している状態を示す前面図である。
【００３２】
図２（Ａ）および図２（Ｂ）を参照して、使用者が、ポンチョ１０を着用すると、前身頃１１が使用者の身体前面を前方から覆い、後身頃１２が使用者の身体後面を後方から覆う。また、フード部２０は、使用者の頭部を後方から覆っている。
【００３３】
更にここでは、母親と子供が、一つのポンチョ１０を着用している。また、ポンチョ１０の内部で、母親は、別の幼児を抱くこともできる。更には、ポンチョ１０の内部で、母親は、荷物を持つこともできる。このようにすることで、母親および子供が一つのポンチョ１０を着用することで濡れずに済むので、雨天に於いて傘を不要にすることができる。
【００３４】
ここで、子供は、母親の前側において前身頃１１により覆われている。また、ポンチョ１０の着用状況を前方から見た場合、子供の頭部は、透明部１８の内部に配置されている。このようにすることで、子供は、透明部１８を介して外部を視認することができるので、子供が不安を感じることを防止することができる。
【００３５】
また、前身頃１１および後身頃１２の下辺には、形状記憶部材２１が形成されていることから、前身頃１１および後身頃１２の下辺は略円形に広がり、子供を含む使用者は、ポンチョ１０を快適に着用することができる。
【００３６】
更に、後身頃１２の後側下辺１９に配置された形状記憶部材２１は、中央部が後方に向かって膨らむ湾曲形状を呈している。このようにすることで、後身頃１２の後側下辺１９近傍の部分が、使用者の脚部から適度に離れる。よって、後側下辺１９近傍の部分が、使用者の脚部に纏わり付くことを防止できる。また、前身頃１１の前側下辺１５は、磁石１６が錘の如く作用することにより、使用者の脚部に纏わり付くことが防止されている。
【００３７】
図３は、ポンチョ１０が、車両１４の乗降の際に使用されている状態を示す側面図である。ここでは、車両１４の開状態である扉を図示していない。
【００３８】
ここでは、車両１４の側方に、ポンチョ１０を着衣した使用者が立っている。また、前身頃１１の前側下辺１５の近傍に配置された磁石１６が、車両１４の屋根に接着している。
【００３９】
このようにすることで、車両１４とポンチョ１０との間に、前身頃１１が屋根の如く張られる。よって、前身頃１１により雨が遮られるので、前身頃１１の下方の領域に於いて、子供が乗降しても、その子供が濡れることを防止できる。例えば、使用者が２人の子供を連れ、一方の子供を抱っこし、他方の子供の手を繋いでいる場合であっても、他方の子供を雨に濡れない状態で車両１４に乗降させることが出来る。
【００４０】
また、使用者は、前身頃１１に形成された透明部１８を透過して、前身頃１１の下方で子供が車両１４に乗降することを確認することができるので、車両１４に乗降する際の安全性を向上することかできる。
【００４１】
子供の車両１４への乗降が終了したら、使用者は磁石１６を車両１４の屋根から取り外し、車両１４のドアを閉める。
【００４２】
図４は、他の形態に係るポンチョ１０を示す上面図である。この図に示すポンチョ１０の構成は、図１に示したものと基本的には同様であるので、相違する事項のみを以下に説明する。
【００４３】
ポンチョ１０には、弁２２、弁２３が配設されている。弁２２はフード部２０の左方側直近に配置され、弁２３は、フード部２０の右方側直近に配置されている。弁２２および弁２３は、外力が与えられていない状態では、水を通過させず、外力が与えられているときのみ水を通過させる逆止弁である。
【００４４】
弁２２には導水管２４が接続している。導水管２４は、パイプ状に成形された合成樹脂等から成り、右側端部が弁２２に接続され。左側端部がポンチョ１０の左方側辺の近傍に配置される。導水管２４は、弁２２を介して水を外部に逃がす機能を有する。
【００４５】
弁２３には導水管２５が接続している。導水管２５は、パイプ状に成形された合成樹脂等から成り、左側端部が弁２３に接続され。右端部がポンチョ１０の右方側辺の近傍に配置される。導水管２５は、弁２３を介して水を外部に逃がす機能を有する。
【００４６】
また、前身頃１１には側面部２６および側面部２７が接続している。
【００４７】
側面部２６は、ポンチョ１０の本体部と同様に、耐水性に優れた布材を採用することができ、略矩形形状を呈している。側面部２６は、前身頃１１の下方側に配置されている。側面部２６の左方側辺は、前身頃１１の左方側辺に縫合等により接続されている。
【００４８】
側面部２７は、ポンチョ１０の本体部と同様に、耐水性に優れた布材を採用することができ、略矩形形状を呈している。側面部２７は、前身頃１１の下方側に配置されている。側面部２７の右方側辺は、前身頃１１の右方側辺に縫合等により接続されている。
【００４９】
図５は、弁２２の構成を示す断面図である。前述した弁２３の構成も同様である。
【００５０】
弁２２は、筒部２８と、バネ２９と、弁体３０とを有する。ここで、バネ２９および弁体３０は、筒部２８に内蔵されている。
【００５１】
筒部２８は、例えば略円筒形状を呈する部材であり、筒部２８の上端は、ポンチョ１０を構成する布状部材の上面に露出し、筒部２８の下端は、ポンチョ１０を構成する布状部材の下面に露出する。筒部２８の内壁には、支持部３１および支持部３２が形成されている。支持部３１は、筒部２８の下部に於いて、筒部２８の内壁を部分的に半径方向内側に向かって突出させた部位である。支持部３２は、筒部２８の上部に於いて、筒部２８の内壁を部分的に半径方向内側に向かって突出させた部位である。
【００５２】
バネ２９は、例えばコイルばねである。バネ２９の上端は支持部３２に接しており、バネ２９の下端は弁体３０に接している。
【００５３】
弁体３０は、筒部２８の内部に於いて、支持部３２と支持部３１との間に配置されておおり、バネ２９により下方に向かって付勢されている。
【００５４】
外力が作用していない状況では、弁体３０が支持部３１に密着することで、弁２２の内部おいて水の流通は遮断されている。
【００５５】
一方、使用者が弁体３０を上方に向かって押圧すると、弁体３０が上昇し、弁体３０と支持部３１との間に間隙が形成される。よって、この間隙を経由して、筒部２８の内部において水を流通させることができる。
【００５６】
図４ないし図６を参照して、弁２２等の機能を説明する。
【００５７】
先ず、図６を参照して、車両１４と使用者との間に、前身頃１１を張った場合、車両１４がＳＵＶ等であり車高が高い場合、前身頃１１は使用者の方に向かって下方に傾斜する。このように成ると、前身頃１１を伝った水が使用者を濡らしてしまう恐れがある。
【００５８】
そこで、図４に示した弁２２等をポンチョ１０に配設している。使用状況下において、前身頃１１に水が溜まったとしても、図５に示した弁２２の弁体３０を上方に向かって押圧することで、弁２２および導水管２４を介して、水はポンチョ１０の左方側に排水される。同様に、弁２３および導水管２５を介して、水はポンチョ１０の右方側に排水される。よって、ポンチョ１０を着用する使用者が水に濡れてしまうことを防止できる。
【００５９】
更に、図６を参照して、車両１４と使用者との間に前身頃１１を張ると、側面部２７が前身頃１１の端部から下方に向かって垂れ下がる。同様に、ここでは図示しない側面部２６も、前身頃１１の端部から下方に向かって垂れ下がる。これにより、前身頃１１の下方に吹き込もうとする雨を側面部２６および側面部２７が遮り、車両１４に乗降しようとする子供が濡れてしまうことを防止できる。
【００６０】
前述した本実施形態により、以下のような主要な効果を奏することができる。
【００６１】
図１を参照して、磁石１６が、前身頃１１の前側下辺１５に沿って配設されることで、図３に示すように、磁石１６を車両１４の屋根に接着させることで、使用者と車両１４との間の空間を、前身頃１１により上方から覆うことができる。よって、例えば、使用者の子供が車両１４に乗降する際に、ポンチョ１０の前身頃１１が傘の如く機能し、子供が雨に濡れてしまうことを抑制できる。
【００６２】
図３を参照して、磁石１６の磁力により、ポンチョ１０の前身頃１１の端部を、車両１４の屋根に容易に接着させることが出来る。更に、車両１４の乗降が終了した際に、ポンチョ１０の前身頃１１の端部を、車両１４の屋根から容易に離脱させることができる。
【００６３】
図２を参照して、ポンチョ１０を着用した際に、形状記憶部材２１の作用により、後身頃１２の後側下辺１９の形状を安定化させ、後身頃１２が身体に纏わり付くことを防止し、使用者の不快感を低減することができる。
【００６４】
図３を参照して、使用者は、透明部１８を介して前身頃１１の下方の状況を視認することができ、車両１４に子供が乗降する状況を確認することができる。
【００６５】
以上、本考案の実施形態について説明したが、本考案は、これに限定されるものではなく、本考案の要旨を逸脱しない範囲で変更が可能である。また、前述した各形態は相互に組み合わせることが可能である。
【００６６】
例えば、図１を参照して、形状記憶部材２１を、前側下辺１５にも配置することができる。
【符号の説明】
【００６７】
１０   ポンチョ
１１   前身頃
１２   後身頃
１３   ホック
１４   車両
１５   前側下辺
１６   磁石
１８   透明部
１９   後側下辺
２０   フード部
２１   形状記憶部材
２２   弁
２３   弁
２４   導水管
２５   導水管
２６   側面部
２７   側面部
２８   筒部
２９   バネ
３０   弁体
３１   支持部
３２   支持部
【図１】
0003232354.tif 000003
【図２】
0003232354.tif 000004
【図３】
0003232354.tif 000005
【図４】
0003232354.tif 000006
【図５】
0003232354.tif 000007
【図６】
0003232354.tif 000008